(57)【要約】【課題】チャンネル転換待機時間を用いたディジタルマルチメディア放送システムの付加サービス提供のための伝送ストリーム、装置、方法及びその放送受信端末機を提供する。【解決手段】チャンネル転換待機時間を用いたディジタルマルチメディア放送システムの付加サービス提供のための伝送ストリーム、方法及びその放送受信端末機に関するものである。伝送ストリームは、少なくとも一つ以上の放送プログラムと各放送プログラムに対応する付加情報とから構成されるプログラムデータと、各放送プログラムに対する細部情報と対応する付加情報のサービス情報を含むプログラムマップテーブルと、放送プログラムそれぞれに対応するプログラムマップテーブルのパケット識別子を含むプログラム連合テーブルとを含んで構成されることを特徴とする。【選択図】図１Ａ
2005124144.tif 000002
【特許請求の範囲】
【請求項１】
ディジタルマルチメディア放送システムでチャンネル転換待機時間を用いて付加サービスを提供するための伝送ストリームにおいて、
少なくとも一つ以上の放送プログラムと、各放送プログラムに対応する付加情報とから構成されるプログラムデータと、
前記各放送プログラムに対する細部情報と、前記各放送プログラムに対応する付加情報のサービス情報を含むプログラムマップテーブルと、
前記放送プログラムに対応する前記プログラムマップテーブルのパケット識別子を含むプログラム連合テーブルと
を含んで構成されることを特徴とする伝送ストリーム。
【請求項２】
前記プログラムデータとプログラムマップテーブルは、放送データチャンネルで伝送され、前記プログラム連合テーブルは、共用チャンネルで伝送されることを特徴とする請求項１に記載の伝送ストリーム。
【請求項３】
前記細部情報は、前記放送プログラムのビデオ、オーディオ、或いは文字データに対応する伝送パケットのパケット識別子であり、
前記付加情報サービス情報は、ビデオ付加情報、オーディオ付加情報、或いは文字付加情報に対応する伝送パケット識別子であることを特徴とする請求項１に記載の伝送ストリーム。
【請求項４】
前記チャンネル転換待機時間は、現在チャンネルが選択されたチャンネルに転換され、前記選択されたチャンネルのオーディオ、ビデオ及び文字の中少なくとも一つを処理する時間であることを特徴とする請求項１に記載の伝送ストリーム。
【請求項５】
前記プログラム連合テーブルとプログラムマップテーブルは、放送チャンネルを通じて伝送されることを特徴とする請求項１に記載の伝送ストリーム。
【請求項６】
ディジタルマルチメディア放送システムでチャンネル転換待機時間を用いた付加サービスを提供するための伝送ストリームにおいて、
少なくとも一つ以上の放送プログラムにそれぞれ対応する付加情報データと、
前記各放送プログラムに対する細部情報を含む第１プログラムマップテーブルと、
前記付加情報データのサービス情報を含む第２プログラムマップテーブルと、
前記第１及び第２プログラムマップテーブルのパケット識別子を含むプログラム連合テーブルと
を含んで構成されることを特徴とする伝送ストリーム。
【請求項７】
前記伝送ストリームパケットは、パケットヘッダ、そして可変長のアダプテーションフィールド或いはペイロードを含むことを特徴とする請求項６に記載の伝送ストリーム。
【請求項８】
前記パケットヘッダは、パケット識別子を含み、前記パケット識別子は、該当パケットのデータが生成された放送局、及びプログラムの種類（ビデオ、オーディオ、或いは文字データ）を示すことを特徴とする請求項７に記載の伝送ストリーム。
【請求項９】
前記細部情報は、前記放送プログラムのビデオ、オーディオ、或いは文字データに対応する伝送パケット識別子であり、
前記付加情報サービス情報は、ビデオ付加情報、オーディオ付加情報、或いは文字付加情報に対応する伝送パケットのパケット識別子であることを特徴とする請求項６に記載の伝送ストリーム。
【請求項１０】
前記ビデオ付加情報、オーディオ付加情報、或いは文字付加情報に対応するプログラムマップテーブルは、共用チャンネルを通じて伝送されることを特徴とする請求項９に記載の伝送ストリーム。
【請求項１１】
前記プログラム連合テーブルと前記第２プログラムマップテーブルは、共用チャンネルを通じて伝送され、前記第１プログラムマップテーブルは、放送チャンネルを通じて伝送されることを特徴とする請求項６に記載の伝送ストリーム。
【請求項１２】
前記付加情報データは、前記共用チャンネルを通じて伝送されることを特徴とする請求項１１に記載の伝送ストリーム。
【請求項１３】
前記プログラム連合テーブルとプログラムマップテーブルは、放送チャンネルを通じて伝送されることを特徴とする請求項６に記載の伝送ストリーム。
【請求項１４】
前記チャンネル転換待機時間は、現在チャンネルが選択されたチャンネルに転換され、前記選択されたチャンネルのオーディオ、ビデオ及び文字の中少なくとも一つを処理する時間であることを特徴とする請求項６に記載の伝送ストリーム。
【請求項１５】
放送を受信して表示する表示部を備えたディジタルマルチメディア放送受信機において、
受信された放送信号から付加情報サービス情報を検出する手段と、
前記検出された付加情報サービス情報に応じて受信された付加情報を貯蔵するメモリと、
使用者がチャンネル転換を要求するための使用者入力手段と、
使用者のチャンネル転換のための入力を認識し、チャンネル転換処理が完了される間、前記メモリに貯蔵された付加情報が前記表示部に表示されるように制御する制御部と
を含むことを特徴とする受信機。
【請求項１６】
前記付加情報は、該当プログラムの内容に対する細部案内であることを特徴とする請求項１５に記載の受信機。
【請求項１７】
前記使用者入力手段は、キー入力部であることを特徴とする請求項１６に記載の受信機。
【請求項１８】
前記放送信号は、伝送ストリームパケット形態のプログラム連合テーブルとプログラムマップテーブルとを含み、
前記プログラム連合テーブルには、少なくとも一つ以上の放送プログラムそれぞれに対応するプログラムマップテーブルのパケット識別子が含まれ、
前記放送プログラムそれぞれに対応するプログラムマップテーブルには、放送プログラムに対する細部情報と、前記各放送プログラムに対応する付加情報のサービス情報に対応するパケット識別子が含まれることを特徴とする請求項１５に記載の受信機。
【請求項１９】
前記放送信号は、伝送ストリームパケット形態のプログラム連合テーブルとプログラムマップテーブルとを含み、
前記プログラム連合テーブルには、少なくとも一つ以上の放送プログラムそれぞれに対応するプログラムマップテーブルのパケット識別子と、前記付加情報それぞれに対応するプログラムマップテーブルのパケット識別子が含まれ、
前記放送プログラムそれぞれに対応するプログラムマップテーブルには、該当プログラムに対する細部情報が含まれ、前記付加情報それぞれに対応するプログラムマップテーブルには、該当付加情報のサービス情報が含まれることを特徴とする請求項１５に記載の受信機。
【請求項２０】
前記制御部は、前記プログラム連合テーブルから使用者が視聴を要求するプログラムのプログラムマップテーブルと、前記使用者が視聴を要求するプログラムに対応する付加情報に対するプログラムマップテーブルのパケット識別子とを検出し、
前記制御部から伝達されるパケット識別子を用いて前記プログラムマップテーブルを抽出して前記制御部に伝達する逆多重化部をさらに備えることを特徴とする請求項１９に記載の受信機。
【請求項２１】
前記プログラム連合テーブルから使用者が視聴を要求するプログラムのプログラムマップテーブルを抽出して前記制御部に伝達する逆多重化部をさらに備え、
前記制御部は、前記プログラムマップテーブルから使用者が視聴を要求するプログラムのビデオ、オーディオ、或いは文字データのパケット識別子と、前記プログラムに関連されたビデオ付加情報、オーディオ付加情報、或いは文字付加情報のパケット識別子とを検出して前記逆多重化部に伝達することを特徴とする請求項１９に記載の受信機。
【請求項２２】
ディジタルマルチメディア放送システムの受信機がチャンネル転換待機時間を用いた付加サービスを遂行するため付加情報を処理する方法において、
放送信号を受信する過程と、
前記受信された放送信号からプログラム連合テーブルを検査して、使用者により選択されたチャンネルのプログラムに対応するプログラムマップテーブルのパケット識別番号を把握し、前記パケット識別番号に対応するプログラムマップテーブルを検出する過程と、
前記検出されたプログラムマップテーブルに付加情報サービス情報が存在するか決定する過程と、
前記付加情報サービス情報が存在すれば、受信される放送信号から付加情報を抽出して貯蔵する過程と
を含むことを特徴とする方法。
【請求項２３】
前記付加情報サービス情報は、使用者が視聴を要求するプログラムに関連されたビデオ付加情報、オーディオ付加情報、或いは文字付加情報のパケット識別子であることを特徴とする請求項２２に記載の方法。
【請求項２４】
前記チャンネル転換待機時間は、現在チャンネルが選択されたチャンネルに転換され、前記選択されたチャンネルのオーディオ、ビデオ及び文字の中少なくとも一つを処理する時間であることを特徴とする請求項２２に記載の方法。
【請求項２５】
ディジタルマルチメディア放送システムの受信機がチャンネル転換待機時間を用いた付加サービスを遂行するため付加情報を処理する方法において、
放送信号を受信する過程と、
前記受信された放送信号からプログラム連合テーブルを検査して、使用者により選択されたチャンネルのプログラムに関した付加情報の存在可否を決定する過程と、
前記付加情報が存在することと決定されれば、前記プログラムの付加情報サービス情報に対応するプログラムマップテーブルのパケット識別番号を把握し、前記パケット識別番号に対応するプログラムマップテーブルを検出する過程と、
前記検出されたプログラムマップテーブルからビデオ、オーディオ、或いは文字付加情報のパケット識別番号を把握した後、受信される放送信号から付加情報を抽出する過程と、
前記抽出された付加情報を貯蔵する過程と
を含むことを特徴とする方法。
【請求項２６】
前記抽出された付加情報を貯蔵された付加情報と比較する過程と、
前記抽出された付加情報と前記貯蔵された付加情報が異なれば、前記抽出された付加情報に更新して貯蔵する過程と
をさらに含むことを特徴とする請求項２５に記載の方法。
【請求項２７】
前記付加情報サービス情報は、使用者が視聴を要求するプログラムに関連されたビデオ、オーディオ、或いは文字付加情報のパケット識別番号を含むプログラムマップテーブルのパケット識別番号であることを特徴とする請求項２５又は請求項２６に記載の方法。
【請求項２８】
前記チャンネル転換待機時間は現在チャンネルが選択されたチャンネルに転換され、前記選択されたチャンネルのオーディオ、ビデオ及び文字の中少なくとも一つを処理する時間であることを特徴とする請求項２５に記載の方法。
【請求項２９】
受信されるディジタルマルチメディア放送信号から付加情報を抽出して貯蔵して置くメモリを備えたディジタルマルチメディア放送システムの受信機が付加サービスを遂行する方法において、
使用者のチャンネル転換要求が入力されるか決定する過程と、
前記使用者のチャンネル転換要求が感知されれば選択されたチャンネルへの転換のための処理を始め、前記貯蔵された付加情報を表示する過程と、
前記選択されたチャンネルへの転換のための処理が完了されるか決定して、完了を感知すれば前記付加情報表示を中断する過程と
を含むことを特徴とする方法。
【請求項３０】
前記付加情報表示を中断し、選択チャンネルを表示する過程をさらに含むことを特徴とする請求項２９に記載の方法。
【請求項３１】
前記付加情報表示を中断し。前記貯蔵された付加情報を削除する過程をさらに含むことを特徴とする請求項２９又は請求項３０に記載の方法。
【請求項３２】
前記付加情報サービス情報は、使用者が視聴を要求するプログラムに関連されたビデオ付加情報、オーディオ付加情報、或いは文字付加情報のパケット識別子であることを特徴とする請求項２９又は請求項３０に記載の方法。
【請求項３３】
ディジタルマルチメディア放送システムの受信機がチャンネル転換待機時間を用いて付加サービスを遂行する方法において、
放送信号を受信する過程と、
前記受信された放送信号からプログラム連合テーブルを検査して、使用者により選択されたチャンネルのプログラムに対応するプログラムマップテーブルのパケット識別番号を把握し、前記パケット識別番号に対応するプログラムマップテーブルを検出する過程と、
前記検出されたプログラムマップテーブルに付加情報サービス情報が存在するか決定決定する過程と、
前記付加情報サービス情報が存在すれば、受信される放送信号から付加情報を抽出して貯蔵する過程と、
前記貯蔵後、使用者のチャンネル転換要求が入力されるか決定決定する過程と、
前記使用者のチャンネル転換要求が感知されれば、選択されたチャンネルへの転換のための処理を始め、前記貯蔵された付加情報を表示する過程と
を含むことを特徴とする方法。
【請求項３４】
前記チャンネル転換待機時間は、現在チャンネルが選択されたチャンネルに転換され、前記選択されたチャンネルのオーディオ、ビデオ及び文字の中少なくとも一つを処理する時間であることを特徴とする請求項３３に記載の方法。
【請求項３５】
ディジタルマルチメディア放送システムの受信機がチャンネル転換待機時間を用いた付加サービスを遂行するため付加情報を処理する方法において、
放送信号を受信する過程と、
前記受信された放送信号からプログラム連合テーブルを検査して、使用者により選択されたチャンネルのプログラムに関した付加情報の存在可否を決定決定する過程と、
前記付加情報が存在することと判断されれば、前記プログラムの付加情報サービス情報に対応するプログラムマップテーブルのパケット識別番号を把握し、前記パケット識別番号に対応するプログラムマップテーブルを検出する過程と、
前記検出されたプログラムマップテーブルからビデオ、オーディオ、或いは文字付加情報のパケット識別番号を把握した後、受信される放送信号から付加情報を抽出する過程と、
前記抽出された付加情報を貯蔵する過程と、
前記貯蔵後、使用者のチャンネル転換要求が入力されるか決定する過程と、
使用者のチャンネル転換要求が感知されれば、選択されたチャンネルへの転換のための処理を始め、前記貯蔵された付加情報を表示する過程と
を含むことを特徴とする方法。
【請求項３６】
前記抽出された付加情報を貯蔵された付加情報と比較する過程と、
前記抽出された付加情報と前記貯蔵された付加情報が異なれば、前記抽出された付加情報に更新して貯蔵する過程と
をさらに含むことを特徴とする請求項３５に記載の方法。
【請求項３７】
前記チャンネル転換待機時間は現在チャンネルが選択されたチャンネルに転換され、前記選択されたチャンネルのオーディオ、ビデオ及び文字の中少なくとも一つを処理する時間であることを特徴とする請求項３５に記載の方法。
【請求項３８】
ディジタルマルチメディア放送システムにおいてチャンネル転換待機時間を用いた付加サービスを提供するための装置が、
共有チャンネルを通じて少なくとも一つ以上のプログラムに対応するプログラムマップテーブルのパケット識別番号を含むプログラム連合テーブルを、パケット形態に伝送する手段と、
放送チャンネルを通じて前記プログラムマップテーブル、該当プログラムのビデオ、オーディオ或いは文字情報、該当プログラムに関連された付加情報をパケット形態に伝送する手段と
を備え、
前記プログラム連合テーブルは、前記放送チャンネルを通じて前記プログラムのビデオ、オーディオ或いは文字情報のパケット識別番号と前記プログラムに関連された付加情報のパケット識別子情報と
を含むことを特徴とする装置。
【請求項３９】
前記チャンネル転換待機時間は、現在チャンネルが選択されたチャンネルに転換され、前記選択されたチャンネルのオーディオ、ビデオ及び文字の中少なくとも一つを処理する時間であることを特徴とする請求項３８に記載の装置。
【請求項４０】
ディジタルマルチメディア放送システムにおいて、チャンネル転換待機時間を用いた付加サービスを提供するための装置が、
共有チャンネルを通じて、少なくとも一つ以上のプログラムに対応するプログラムマップテーブルのパケット識別番号と前記プログラムに関連された付加情報のプログラムマップテーブルのパケット識別子情報とを含むプログラム連合テーブルと、前記プログラムに関連された付加情報のプログラムマップテーブルと、そしてビデオ、オーディオ或いは文字付加情報をパケット形態に伝送する手段と、
放送チャンネルを通じて該当プログラムのビデオ、オーディオ或いは文字情報をパケット形態に伝送する手段と
を備えることを特徴とする装置。
【請求項４１】
前記チャンネル転換待機時間は、現在チャンネルが選択されたチャンネルに転換され、前記選択されたチャンネルのオーディオ、ビデオ及び文字の中少なくとも一つを処理する時間であることを特徴とする請求項４０に記載の装置。
【発明の詳細な説明】
【技術分野】
【０００１】
本発明は、ディジタルマルチメディア放送システムに関するものであり、特にチャンネル転換待機時間を用いて付加サービスを提供するための伝送ストリーム、装置、方法及びその放送受信端末機に関するものである。
【背景技術】
【０００２】
最近、オーディオ、ビデオ等のデータ圧縮技術と通信技術の発達によって、高品質のオーディオ及びビデオサービスをいつどこでも提供することができる移動マルチメディア放送が実現可能になった。移動マルチメディア放送はディジタルマルチメディア放送（Ｄｉｇｉｔａｌ  Ｍｕｌｔｉｍｅｄｉａ  Ｂｒｏａｄｃａｓｔｉｎｇ）（以下、ＤＭＢという）又はディジタルオーディオ放送（Ｄｉｇｉｔａｌ  Ａｕｄｉｏ  Ｂｒｏａｄｃａｓｔｉｎｇ）（以下、ＤＡＢという）等を含む。移動マルチメディア放送システムでは、音楽、文字及び動映像等多様なコンテンツから構成される放送情報の移動受信、固定受信及び携帯受信が全て可能である。
【０００３】
一方、ディジタル放送の場合、アナログとは違ってチャンネル転換時チャンネル情報を新たに獲得し、復号処理を行うことにあって必然的に待機時間が存在する。この待機時間は、符号分割多重（Ｃｏｄｅ  Ｄｉｖｉｓｉｏｎ  Ｍｕｌｔｉｐｌｅｘ）（以下、ＣＤＭという）方式で伝送されるＤＭＢ放送標準システム−Ｅ（Ｓｙｓｔｅｍ−Ｅ）にあってさらに問題になるが、これはＣＤＭ方式の特性と共に移動受信を目的とするシステム構造上エラー（ｅｒｒｏｒ）が多い環境に置かれていることも原因になる。
【０００４】
Ｓｙｓｔｅｍ−Ｅの場合、放送信号の送信方式として符号分割多重方式を採用することと同時に、伝送データにインタリーブ（ｉｎｔｅｒｌｅａｖｅ）処理を行って移動受信中にも高品質のビデオやオーディオデータを伝送されることが可能である。この際、伝送データにインタリーブ処理になっているので、受信機では、デインタリーブ（ｄｅ−ｉｎｔｅｒｌｅａｖｅ）処理が必須的である。デインタリーブ処理は、ある程度の時間が必要であるので、視聴者が受信しているチャンネルを変更する場合、新たに変更されたチャンネルのビデオやオーディオが再生される時まで待機時間が存在し、使用者は退屈に感じる。デインタリーブ処理時間は、移動受信環境により可変的に事業者が多くのデータを総合して決める事項であるが、現在までＳｙｓｔｅｍ−Ｅでは約６秒間の待機時間が必要であり、フィールドでテストされている。
【発明の開示】
【発明が解決しようとする課題】
【０００５】
本発明の技術的課題は、ディジタルマルチメディア放送システムで比較的長いチャンネル転換待機時間中に、事業者が付加情報をサービスさせることができる伝送ストリーム、装置、方法及びその放送受信端末機を提供するところにある。
【０００６】
本発明の他の目的は、ディジタルマルチメディア放送を視聴する使用者の便宜性を高める同時に、事業者には特化された付加情報提供に利用度高い付加価値創出を可能にするために、チャンネル転換待機時間中、使用者に既存視聴したチャンネルと連関される付加情報をサービスさせることができる伝送ストリーム、装置、方法及びその放送受信端末機を提供するところにある。
【課題を解決するための手段】
【０００７】
前述した技術的課題を達成するための本第１発明は、ディジタルマルチメディア放送システムでチャンネル転換待機時間を用いて、付加サービスを提供するための伝送ストリームが、少なくとも一つ以上の放送プログラムと各放送プログラムに対応する付加情報とから構成されるプログラムデータと、各放送プログラムに対する細部情報と対応する付加情報のサービス情報を含むプログラムマップテーブルと、放送プログラムに対応するプログラムマップテーブルのパケット識別子を含むプログラム連合テーブルとを含んで構成されることを特徴とする。
【０００８】
前述した技術的課題を達成するための本第２発明は、ディジタルマルチメディア放送システムでチャンネル転換待機時間を用いた付加サービスを提供するための伝送ストリームが、少なくとも一つ以上の放送プログラムにそれぞれ対応する付加情報データと、各放送プログラムに対する細部情報を含む第１プログラムマップテーブルと、付加情報データのサービス情報を含む第２プログラムマップテーブルと、第１及び第２プログラムマップテーブルのパケット識別子を含むプログラム連合テーブルとを含んで構成されることを特徴とする。
【０００９】
前述した技術的課題を達成するための本第３発明は、放送を受信して表示する表示部を備えたディジタルマルチメディア放送受信機が、受信された放送信号から付加情報サービス情報を検出する手段と、検出された付加情報サービス情報に応じて受信された付加情報を貯蔵するメモリと、使用者がチャンネル転換を要求するための使用者入力手段と、使用者のチャンネル転換のための入力を認識し、チャンネル転換処理が完了される間、メモリに貯蔵された付加情報が表示部に表示されるように制御する制御部とを含むことを特徴とする。
【００１０】
前述した技術的課題を達成するための本第４発明は、受信されるディジタルマルチメディア放送信号から付加情報を抽出して貯蔵して置くメモリを備えたディジタルマルチメディア放送システムの受信機が、付加サービスを遂行する方法において、使用者のチャンネル転換要求が入力されるか決定する過程と、使用者のチャンネル転換要求が感知されれば選択されたチャンネルへの転換のための処理を始め、貯蔵された付加情報を表示する過程と、選択されたチャンネルへの転換のための処理が完了されるか決定して完了を感知すれば付加情報表示を中断する過程とを含むことを特徴とする。
【発明の効果】
【００１１】
前述したように本発明は、事業者が付加情報を提供して新しい付加価値を創出することができ、付加情報を該当プログラムに特定される内容に構成することができて付加情報の活用価値を高めることができる。又、使用者の立場でも、チャンネル転換時不可避に現れる待機時間に付加情報を提供されることができて、退屈さを無くすことができるだけではなく、該当情報が自分に有用なことである時にはさらに良い。又使用者や事業者の立場で無意味に浪費されるチャンネル転換待機時間の活用性を高めることができるという点でも意義がある。
【００１２】
一方、本発明の詳細な説明では、具体的な実施形態に関して説明したが、本発明の範囲から外れない限度内で色々の変形が可能なことは勿論である。一例として、付加情報をＴＳパケットに抽出して、メモリに貯蔵する時変換器を使用して、ＰＳ（Ｐｒｏｇｒａｍ  Ｓｔｒｅａｍ）パケットに変換して構成することも可能である。従って、本発明の範囲は、説明された実施形態に局限されて決められるべきでは無く、後述する特許請求の範囲だけではなく、この特許請求の範囲と均等なことにより決められなければならない。
【発明を実施するための最良の形態】
【００１３】
以下、本発明の望ましい実施形態を添付した図面を参照して詳細に説明する。先ず、各図面の構成要素に参照符号を付加することにおいて、同一な構成要素には、たとえ他の図面上に表示されてもできるだけ同一な符号を有するようにしていることに留意しなければならない。下記説明では、具体的な回路の構成素子等のような多くの特定事項が現れているが、これは本発明の、より全般的な理解を助けるために提供されたものであり、こうした特定事項がなくても本発明が実施されることができることは、この技術分野で通常の知識を持つ者には自明である。そして本発明を説明するにあたって、関連された公知機能或いは構成に対する具体的な説明が、本発明の要旨を不要に不明瞭にしていると判断される場合、その詳細な説明を省略する。
【００１４】
本発明の構成は、既存Ｓｙｓｔｅｍ−Ｅ方式のハードウェアを用いて具現が可能である。
【００１５】
本発明の動作説明は、Ｓｙｓｔｅｍ−Ｅ方式を前提に説明する。しかし、チャンネル転換時待機時間が存在する他の方式においても、同様に適用することができることは周知の事実である。
【００１６】
本発明で移動マルチメディア放送システムは、ＭＰＥＧ２＿ＴＳ（Ｍｏｖｉｎｇ  Ｐｉｃｔｕｒｅ  Ｅｘｐｅｒｔｓ  Ｇｒｏｕｐ２  Ｔｒａｎｓｐｏｒｔ  Ｓｔｒｅａｍ）標準規格によりオーディオ、ビデオ及び文字データを多重化して伝送する場合を仮定し説明する。
【００１７】
図１Ａ及び図１Ｂは、本発明の望ましい実施形態による伝送ストリームの構造を示した図面である。
【００１８】
伝送ストリームは、複数の伝送ストリームパケットから構成され、各伝送ストリームパケットは、ヘッダ部とペイロード部とから構成される。ヘッダ部はパケット識別子（Ｐａｃｋｅｔ  Ｉｄｅｎｔｉｆｉｃａｔｉｏｎ）（ＰＩＤ）を含むが、本明細書では、説明の便宜上ヘッダ部にパケット識別子のみを表示する。
【００１９】
伝送ストリームは、複数のプログラムを伝送することができるので、伝送ストリームに含まれているプログラムとそのプログラムを構成しているビデオやオーディオデータ等のプログラム要素との関係が規定されなければならない。前述した関係は、所定のテーブルで規定されるが、このテーブル情報はプログラム指定情報（Ｐｒｏｇｒａｍ  Ｓｐｅｃｉｆｉｃａｔｉｏｎ  Ｉｎｆｏｒｍａｔｉｏｎ）（以下、ＰＳＩという）で定義され、ＰＳＩはプログラム連合テーブル（Ｐｒｏｇｒａｍ  Ａｓｓｏｃｉａｔｉｏｎ  Ｔａｂｌｅ）（ＰＡＴ）、プログラムマップテーブル（Ｐｒｏｇｒａｍ  Ｍａｐ  Ｔａｂｌｅ）（ＰＭＴ）等４種類のテーブルから構成される。
【００２０】
ＰＭＴには、該当プログラムに含まれるビデオ、オーディオ、文字データパケットのＰＩＤ番号が含まれる。又、ＰＭＴの中で、該当本放送プログラムの付加情報に関連したＰＩＤ番号が指定される。制御チャンネル（Ｐｉｌｏｔ  ｃｈａｎｎｅｌ）で伝送されるそれぞれのＣＤＭチャンネル情報と共に参照して該当プログラムのＰＩＤ番号を有したデータを識別する。
【００２１】
図１Ａは、ＰＡＴを含む共用チャンネルの構成を示した図面である。本明細書でＰＡＴは、共用チャンネルで伝送される場合を仮定し説明されるが、放送チャンネルで放送プログラムデータのように伝送される場合にも、本発明が適用可能なことを留意しなければならない。通常的にＰＡＴは、ＰＩＤ番号＝０で定義され、プログラム番号に対応したＰＭＴのＰＩＤ番号等を記述する。
【００２２】
図１Ａを参照すれば、ＰＡＴは、プログラム１（Ｐｒｏｇ．１）とプログラム２（Ｐｒｏｇ．２）のＰＭＴが、それぞれＰＩＤ番号が１５，３１のパケットに規定されることと仮定する。
【００２３】
図１Ｂは、ＰＭＴと放送プログラムデータとより成る放送チャンネルの構成を示した図面である。図１Ｂを参照すれば、それぞれのＰＭＴ情報には本放送情報と付加情報が同じく表示されている。例えば、示したことによると、ＰＩＤ番号５１，６４，１０は、プログラム１（Ｐｒｏｇ．１）を構成するビデオ、オーディオ、テキスト伝送ストリームパケットを示すためのＰＩＤ番号である。又、ＰＩＤ番号１１，１７，２１は、プログラム１（Ｐｒｏｇ．１）に対応するビデオ＿付加情報（ａｄｄ＿ｖｉｄｅｏ）、オーディオ＿付加情報（ａｄｄ＿ａｕｄｉｏ）、そしてテキスト＿付加情報（ａｄｄ＿ｔｅｘｔ）伝送ストリームパケットを示すためのＰＩＤ番号である。
【００２４】
図２は、本発明の望ましい第１実施形態によるディジタルマルチメディア放送伝送データストリームを送信するための装置を示した図面である。
【００２５】
複数の放送プログラムを含んで構成される第１乃至第ｎ放送データストリームは、それぞれ図２の順方向エラー訂正符号化部（３８ａ，３８ｂ）に入力される。この際、放送データストリームは、付加情報データをさらに含む。一方、ＰＳＩを含む共用チャンネルデータと制御チャンネルデータはそれぞれ順方向エラー訂正符号化部３８ｃ，３８ｄに入力される。
【００２６】
順方向エラー訂正符号化部３８でデータストリームは、それぞれリードソロモン符号化され、バイトインタリーバでバイト別にデータ順序が変えられて整列される。バイトインタリーブされたデータは、重畳符号化器でコンボリューション符号化される。制御チャンネルデータを除外した他のデータは、ビットインタリーバでビット単位にデータ順序が変えられて整列される。
【００２７】
前述した順方向エラー訂正符号化部３８から出力されるデータは、拡散変調器４０ａ〜４０ｄに入力される。拡散変調器４０ａ〜４０ｄは、プログラムを相異なる拡散コードにより拡散変調する。拡散コードは、各チャンネル毎に割り当てられているコードであり、ウォルシュ（ｗａｌｓｈ）コードが使用される。
【００２８】
合成器４２は、各拡散変調器４０ａ〜４０ｄで拡散変調された伝送ストリームパケットを、１系統の符号分割多重放送信号に合算する。変調器４４は、符号分割多重放送信号を、ＱＰＳＫ又はＱＡＭ方式等のディジタル変調方式により変調する。送信機４６は、変調された放送信号を、無線送信のための周波数に変換及び送信電力レベルに増幅した後、アンテナ（図示せず）を通じて送信する。
【００２９】
図３は、本発明の望ましい第２実施形態による伝送ストリームの構造を示す図面である。前述した図１Ａ及び図１Ｂとは違って、付加情報データが共用チャンネルで伝送される場合を仮定し示した。
【００３０】
図３でＰＡＴは、２個の放送プログラムＰｒｏｇ１，Ｐｒｏｇ２と２個の付加情報Ｐｒｏｇ１−ａｄｄ，Ｐｒｏｇ２−ａｄｄに対するＰＭＴのＰＩＤ情報１５，３１，１０，１７を含んでいる。この際、２個の放送プログラムＰｒｏｇ１，Ｐｒｏｇ２は、図１Ａに例示のＣＤＭ＃１共用チャンネルと制御チャンネル（ｐｉｌｏｔ  ｃｈａｎｎｅｌ）を除外したＣＤＭ放送チャンネルで伝送され、付加情報データは、ＣＤＭ＃１共用チャンネルで伝送される。各ＣＤＭチャンネルは、制御チャンネルのＣＤＭチャンネル構成情報を参照して該当放送ＣＤＭチャンネルを識別することができる。
【００３１】
本実施形態によると、本放送受信とは相関なく周期的に決定する共用チャンネルに付加情報を伝送し、端末機は、該当情報を各プログラムとマッチングして貯蔵するため、第１実施形態とは違ってチャンネル転換時表示する付加情報を将来変換されるチャンネルプログラムに関連された付加情報にすることもできるという長所がある。同様に、第１実施形態と同一に変換されるチャンネル放送に関連された付加情報から構成することができることは勿論である。又放送受信時間が十分であり、共用チャンネルを検査して付加情報を貯蔵する周期が適切に調整されれば、短時間内に多数のチャンネル変更時にも第１実施形態とは違って、その放送チャンネルプログラムで付加情報を抽出して貯蔵しないため、各チャンネルプログラムに合う付加情報を提供することができるという長所を持つ。本実施形態に対する説明では、視聴チャンネルに該当する付加情報のみを抽出して貯蔵する構成とした。勿論、本実施形態でも、共用チャンネルから抽出し出す付加情報貯蔵時間が確保されなけれ、ば第１実施形態と同様に既貯蔵されたチャンネル転換時提供される別途の付加情報を表示するように具現される。但し、多くのプログラムの付加情報を貯蔵することにより、メモリ部の使用量が増える。単に、該当プログラムの付加情報のみ貯蔵すれば、第１実施形態と同様のメモリ使用量を有する。
【００３２】
図４は、本発明の望ましい第２実施形態によるディジタルマルチメディア放送伝送データストリームを送信するための装置を示した図面である。
【００３３】
付加情報データが共用チャンネルで伝送される点で前述した図２と異なるだけで、残り構成は同一なので、詳細な説明は省略されることである。
【００３４】
図５は、本発明の望ましい実施形態によるディジタルマルチメディア放送受信機を示したブロック図である。
【００３５】
受信部５２は、ディジタルマルチメディア放送チャンネル信号を受信し、低雑音増幅した後中間周波信号に周波数変換する。復調部５４は、放送チャンネル信号をＣＤＭ復調し、使用者により選択されたチャンネルに対応する拡散コードによりスペクトラム逆拡散する。チャンネル選択は、使用者がキー入力部７０を操作して、所望のチャンネル番号を入力する動作により遂行される。復調部５４から出力される伝送パケットは、選択チャンネルの伝送ストリームになる。順方向エラー訂正部（Ｆｏｒｗａｒｄ  Ｅｒｒｏｒ  Ｃｏｒｒｅｃｔｉｏｎ）（ＦＥＣ）５６は、雑音や干渉により伝送中に発生されたエラーを訂正復号する。
【００３６】
逆多重化部５８は、制御部７２からＰＩＤ情報を提供されＰＩＤ情報を用いて復号された伝送ストリームから所望の伝送ストリームパケットを抽出し、オーディオ、ビデオ及び文字データパケットを分離する。逆多重化部５８で分離されたオーディオ、ビデオ及び文字データパケットは、それぞれオーディオデコーダ６４、ビデオデコーダ６２及び文字デコーダ６０に入力される。オーディオデコーダ６４は、圧縮されたオーディオデータパケットを復号し、示されないディジタル/アナログ変換器（Ｄｉｇｉｔａｌ  Ａｎａｌｏｇ  Ｃｏｎｖｅｒｔｅｒ）（Ｄ/Ａ  Ｃｏｎｖｅｒｔｅｒ）によりアナログ信号に変換した後スピーカ７６を通じて出力する。ビデオデコーダ６２は、圧縮されたビデオデータパケットを復号し、示されないビデオ処理器を通じて、表示部６６に適していた形式に変換した後、表示部６６を通じて出力する。文字デコーダ６０は、圧縮された文字データパケットを復号し、表示部６６を通じて出力する。
【００３７】
特に本発明と関連して、逆多重化部５８は、制御部７２から提供される付加情報のＰＩＤ情報を用いて、付加情報が含まれた伝送ストリームパケットを分離する。分離された伝送ストリームパケットは、メモリ７４に貯蔵される。
【００３８】
制御部７２は、受信機の全般的な動作を制御する。又、制御部７２は使用者からのキー入力により放送チャンネルの転換を制御し、それによるチャンネル転換時使用者に提供される付加情報をメモリ７４で引き出して、表示部６６をして表示させる。メモリ７４は、ＲＯＭとＲＡＭ等から構成される。メモリ７４は、各種制御機能を遂行するための制御プログラムと制御に必要なデータを貯蔵する。特に、本発明の実施形態によりメモリ７４は、付加情報を貯蔵することができる。
【００３９】
前述したような構成を有する端末機が、図１Ａ及び図１Ｂのような伝送ストリームを受信して付加情報を処理する動作を具体的に説明すれば、次の通りである。
【００４０】
付加情報は、制御部７２により放送信号から抽出されてメモリ７４に貯蔵された後、使用者のチャンネル転換要求がある時、他のチャンネルプログラムデータのデインタリーブ及び復号が完了される時まで使用者に提供される。即ち、本実施形態では、使用者が既に視聴していたチャンネルプログラムデータ伝送時に、付加情報を追加して伝送し、受信機は、現在表示される放送データとは別途に付加情報を抽出してメモリ７４に貯蔵する。、この付加情報は、使用者のチャンネル転換要求時に現れる待機時間中に、表示される。使用者が他のチャンネルのプログラムを視聴している間に、やはり放送されているデータと共に伝送される付加情報データが新たに伝送され、制御部７２は、新たに伝送される付加情報データを抽出してメモリ７４に貯蔵する。この際、前のチャンネルプログラム受信時に貯蔵されていた付加情報データは、削除され、新しい付加情報データが代わりに貯蔵される。このようにすることにより、付加情報データを活用することにおいて過度なメモリを使用しなくてもよい長所があり、各放送プログラムによる特化された付加情報提供が可能となる。しかしながら、使用者が各付加情報を一定期間中貯蔵することを希望すれば、使用者入力を受けて別途貯蔵を行った後所望の場合に再び提供することもできる。付加情報は、例えば、広告又は公知事項等であって良い。活用例として、使用者がミュージックビデオ放送プログラムを視聴していたが、チャンネル転換要求を行う場合、放送されたミュージックビデオに関連した広告を、チャンネル転換時間中に表示することができる。前述した説明で、付加情報は、各プログラム内容に合わせて事業者が一つのプログラム内で多くの付加情報データを時間に応じて伝送することができる。この際、メモリ容量に適当に貯蔵され、使用者はチャンネル転換時各貯蔵された付加情報を項目別に分かりやすく所望の情報を表示するように構成することもできる。こうした場合は、ミュージックビデオ放送チャンネル中、多くの他の歌手の曲が放送された時個別歌手情報のみ別途に見たい場合を予想して構成することができる。使用者の使用習慣を分析して見れば、チャンネル転換後、暫し内容のみを確認した後に、再びチャンネル転換要求を行う場合がある。こうした場合、付加情報データが十分に転送されずチャンネル転換時付加情報を表示することができない場合がある。この際は、メモリ７４に別途に貯蔵されているチャンネル転換時表示データを、使用者に見せる構成にする。
【００４１】
図６は、本発明の望ましい第１実施形態によるディジタルマルチメディア放送受信機で、放送プログラムと共に該当する付加情報を受信して貯蔵する方法を示した流れ図である。
【００４２】
段階８１２で、ディジタルマルチメディア放送受信機は、受信部５２と復調部５４とを通じて使用者により要求されるチャンネルの放送信号を受信し、エラー訂正部５６で伝送上のエラーを訂正して、伝送ストリームを出力する。逆多重化部５８は、共用チャンネルに受信されるＰＡＴを用いて、使用者が視聴を要求するプログラムのＰＭＴを抽出し、これを制御部７２に提供する。
【００４３】
段階８１４で、制御部７２は、ＰＭＴから視聴が要求されるプログラムのビデオ、オーディオ及び文字データのＰＩＤ番号を求め、ＰＩＤ番号を逆多重化部５８に提供する。逆多重化部５８は、制御部７２から受信したＰＩＤに該当する伝送ストリームパケットを分離し、それぞれのデコーダに提供する。各デコーダは入力されるデータの圧縮を解除した後表示部６６とスピーカ７６とを通じて出力する。
【００４４】
この際、制御部７２は、段階８１６でＰＭＴに付加情報データが存在するかを検査する。この際、もし付加情報が存在すると判断されれば、制御部７２は、段階８１８で逆多重化部５８から逆多重化された該当付加情報データを抽出して、メモリ５４に貯蔵する。
【００４５】
図１Ａと図１Ｂとを参照して説明すれば、使用者が選択したプログラムがＰｒｏｇ１と仮定する場合、図１ＡのＰＩＤ番号０のＰＡＴでＰｒｏｇ１に対応するＰＭＴのＰＩＤ番号１５を検出する。そして図１ＢでＰＩＤ番号１５のＰＭＴからビデオ、オーディオ、テキスト、ビデオ＿付加情報（ａｄｄ＿ｖｉｄｅｏ）、オーディオ＿付加情報（ａｄｄ＿ａｕｄｉｏ）、そしてテキスト＿付加情報（ａｄｄ＿ｔｅｘｔ）のＰＩＤ番号５１，６４，１０，１１，１７，２１を検出する。
【００４６】
段階８１６で付加情報が存在しなければ、そのまま作業を終了する。
【００４７】
具体的に、例えば、特定ドラマに対する協賛社広告を付加情報として送信することができる。使用者が、Ａチャンネルのドラマを視聴した後Ｂチャンネルに変えれば、実際にＢチャンネルのプログラムが表示される時まで待機時間中、使用者は、ドラマ視聴中に予め受信されていたドラマの協賛社広告を視聴する。
【００４８】
本実施形態では、付加情報を１回受信して貯蔵する場合を仮定したが、このような付加情報の送信は、事業者或いは具現方法により、１回或いは反復して成されることができることを明らかにして置く。後者の場合には、該当付加情報が最初に貯蔵された以後同一な内容が受信された時には、貯蔵せず同一にしないか、或いは既貯蔵された付加情報にエラーがあって修正（ｃｏｒｒｅｃｔｉｏｎ）が必要な場合には、新たに受信された付加情報に更新貯蔵するように構成することができる。
【００４９】
図７は、本発明の望ましい第２実施形態によるディジタルマルチメディア放送受信機で放送プログラムと共に該当する付加情報を受信して貯蔵する方法を示した流れ図である。
【００５０】
段階９０２で制御部７２は、逆多重化部５８から提供されるＰＡＴを検査し、使用者により選択されたプログラムのＰＭＴのＰＩＤ番号を抽出する。又、制御部７２は、段階９０４でＰＡＴを用いて使用者により選択されたプログラムと関連された付加情報が、放送局から伝送されているか可否を検査する。即ち、制御部７２は使用者により選択されたプログラムと関連された付加情報に対するＰＭＴのＰＩＤ番号が、ＰＡＴに含まれているかを判断する。
【００５１】
制御部７２は、付加情報が存在すると判断されれば、段階９０６に進行する。段階９０６で制御部７２は、ＰＡＴから付加情報に対するＰＭＴのＰＩＤ番号を抽出して、逆多重化部５８に提供する。制御部７２は、ＰＭＴパケットを検査し、付加情報を構成するビデオ、オーディオ又は文字データ伝送パケットのＰＩＤ番号を抽出する。段階９０８で逆多重化部５８はＰＩＤ番号を用いて付加情報を抽出する。
【００５２】
図３を参照すれば、使用者が選択したプログラムがＰｒｏｇ１という仮定する場合、図３のＰＩＤ番号０のＰＡＴでＰｒｏｇ１の付加情報に対応するＰＭＴのＰＩＤ番号１０を検出することである。そして図３のＰＩＤ番号１０のＰＭＴからビデオ＿付加情報（ａｄｄ＿ｖｉｄｅｏ）、オーディオ＿付加情報（ａｄｄ＿ａｕｄｉｏ）、そしてテキスト＿付加情報（ａｄｄ＿ｔｅｘｔ）のＰＩＤ番号９，２４，２１を検出する。図１Ａ及び図１Ｂとは違って、プログラムの付加情報に対応するＰＩＤ番号及び該当付加情報がＰＡＴに含まれて伝送される場合である。
【００５３】
再び図７を参照すれば、段階９１０で制御部７２は検出した付加情報とメモリ７４に貯蔵されていた付加情報を比較する。前述した比較結果、段階９１２で制御部７２が二つ付加情報を同一なことと判断すれば、再び貯蔵する必要がないためそのまま作業を終了する。反面、同一情報ではない場合には、段階９１４でメモリ７４をアクセスして検出付加情報に更新貯蔵する。付加情報の同一性可否は、付加情報のプログラム名称によるか、又は付加情報に別途の識別者を付与する方法で遂行されることができ、こうした方法は、当業界で通常の知識を持つ者なら容易に考えることができるため、詳細な説明は省略されることである。
【００５４】
付加情報に対する具体的な例を挙げれば、特定プログラムの内容に対する詳細案内を付加情報として送信することができる。“特定プログラム”が多くの歌手が出演して歌を歌う歌謡プログラムと仮定すれば、“詳細案内”は、各歌手のミュージックビデオ或いはコンサート等と関連した案内であって良い。例えば、使用者がＡチャンネルの歌謡プログラムを視聴した後Ｂチャンネルに変えれば、実際にＢチャンネルのプログラムが表示される時までの待機時間中、使用者は、メモリで検出される特定歌手（例：使用者がチャンネル転換を要求する当時画面に出ていた歌手）に対する詳細案内（例：ミュージックビデオ）を視聴することができる。
【００５５】
図８は、本発明の望ましい実施形態による付加情報表示方法を示した流れ図である。前述した図６或いは図７に示したような過程を経て貯蔵された付加情報を、使用者がチャンネル転換を行う時、チャンネル転換待機時間中に使用者が見ることができるように表示する方法を示した流れ図である。
【００５６】
段階１０１２で制御部７２は、キー入力部７０を検査して使用者のチャンネル転換要求があるかを決定する。チャンネル転換要求がある場合、段階１０１４で制御部７２は新たに選択されたチャンネルの情報を、受信部５２とエラー訂正部５６等に知らせて関連処理を行うように指示する。チャンネル転換要求がない場合には、段階１０１２を反復遂行する。チャンネル転換に所要になる時間は、大概エラー訂正部５６でバイトジーインタリーブまで遂行完了する時点とする。具現することによっては、逆多重化が完了される時まで変更設計することもでき、その処理完了時点は、設計により容易に変更して具現することができる。
【００５７】
新しいチャンネル転換のための設定が完了される時まで、制御部７２は、チャンネル転換直前プログラムに関連した或いはそのプログラムの内容案内に関連した付加情報をメモリ７４から引き出して、それぞれの該当デコーダに同期情報と共に入力する。以後、デコーディングを経て表示部６６に付加情報が表示されて使用者をして見ることができるように具現する過程は、放送プログラムが処理される過程と同一である。
【００５８】
段階１０１６で制御部７２は、選択されたチャンネル転換のための設定が完了したか決定する。設定が完了したら、段階１０１８に進行して、現在メモリ７４で引き出されて表示されている付加情報表示を中断し、新たに設定されたチャンネル放送データが逆多重化部５８で逆多重化され、表示部６６を通じて表示され、スピーカ７６を通じて可聴音の形態で出力されるように制御する。放送データが逆多重化を終えた時点をチャンネル転換のための設定完了時点に決めれば、該当放送データが付加情報の代わりにそれぞれのビデオ、オーディオデコーダ６２，６４等に入力される。これで選択されたチャンネルプログラムが表示され、チャンネル転換準備時間中表示された付加情報は、中断される。
【００５９】
以後、段階１０２０に進行して、既に貯蔵された付加情報データをメモリ７４から削除する。段階１０２２で制御部７２は、使用者の放送視聴中断要求があるか、或いはキー入力部７０を検査して視聴中断要求がない場合には、段階１０１２に返って、再び処理過程を反復遂行する。反面、使用者の視聴中断要求があれば、作業を終了する。
【図面の簡単な説明】
【００６０】
【図１Ａ】本発明の望ましい第１実施形態による伝送ストリームの構造を示した図面である。
【図１Ｂ】本発明の望ましい第１実施形態による伝送ストリームの構造を示した図面である。
【図２】本発明の望ましい第１実施形態によるディジタルマルチメディア放送伝送データストリームを送信するための装置を示した図面である。
【図３】本発明の望ましい第２実施形態による伝送ストリームの構造を示した図面である。
【図４】本発明の望ましい第２実施形態によるディジタルマルチメディア放送伝送データストリームを送信するための装置を示した図面である。
【図５】本発明の望ましい実施形態によるディジタルマルチメディア放送受信機を示したブロック図である。
【図６】本発明の望ましい第１実施形態によるディジタルマルチメディア放送受信機で放送プログラムと共に該当する付加情報を受信して貯蔵する方法を示した流れ図である。
【図７】本発明の望ましい第２実施形態によるディジタルマルチメディア放送受信機で放送プログラムと共に該当する付加情報を受信して貯蔵する方法を示した流れ図である。
【図８】本発明の望ましい実施形態による付加情報表示方法を示した流れ図である。
【符号の説明】
【００６１】
３８，３８ａ〜３８ｄ…順方向エラー訂正符号化部
４０ａ〜４０ｄ，４４…変調器
４２…合成器
４６…送信機
【図１Ａ】
2005124144.tif 000003
【図１Ｂ】
2005124144.tif 000004
【図２】
2005124144.tif 000005
【図３】
2005124144.tif 000006
【図４】
2005124144.tif 000007
【図５】
2005124144.tif 000008
【図６】
2005124144.tif 000009
【図７】
2005124144.tif 000010
【図８】
2005124144.tif 000011